(57)【要約】      （修正有）【課題】装着の容易性を妨げることなく高い装飾性を実現する装飾用リストバンドを提供する。【解決手段】装飾用リストバンド１は、伸縮性を有する部材をリング状に形成したものであり、このリング状に形成された本体のうち、当該リストバンド１を装着した状態で手のひら側に位置させる部位の少なくとも一部領域１０は、他の領域よりも断面積が小さくなるように形成されている。また、本体のうち、装飾用リストバンド１を装着した状態で手の甲側に位置させる部位には、リング外側およびリング挿通方向に向けて張り出した張出部２０と、張出部２０に内蔵された状態でリング外側に発光面を向けた発光体３０と、を備えている。また、張出部２０において発光体３０の発光面を覆う位置にある領域２１は、光が透過する程度まで薄膜状に形成されることにより、発光体３０がリストバンド１の本体と一体化されている。【選択図】図１
0003193002.tif 000002
【実用新案登録請求の範囲】
【請求項１】
伸縮性を有する部材をリング状に形成してなる装飾用リストバンドであって、
リング状の本体のうち、当該リストバンドを装着した状態で手のひら側に位置させる部位の少なくとも一部領域は、他の領域よりも断面積が小さくなるように形成され、
当該リストバンドを装着した状態で手の甲側に位置させる部位は、リング外側およびリング挿通方向に向けて張り出した張出部と、該張出部に内蔵された状態でリング外側に発光面を向けた発光体と、を備え、前記張出部において前記発光体の発光面を覆う位置にある領域が、少なくとも前記発光面からの光を透過可能な程度の薄膜状に形成されていることにより、前記発光体が当該リストバンドの本体と一体化されている
ことを特徴とする装飾用リストバンド。
【請求項２】
前記発光体は、リングにおける円周方向に沿って複数個が配置されている
ことを特徴とする請求項１に記載の装飾用リストバンド。
【考案の詳細な説明】
【技術分野】
【０００１】
本考案は、装飾用リストバンドに関する。
【背景技術】
【０００２】
従来から、装飾具としてリストバンドが使用されている。
【考案の概要】
【考案が解決しようとする課題】
【０００３】
しかし、装飾用のリストバンドでは、その外形形状により装飾性を高めることが一般的であるため、こうして装飾性を高めることが装着の容易性を妨げてしまう恐れがある。
本考案は、このような課題を解決するためになされたものであり、その目的は、装着の容易性を妨げることなく高い装飾性を実現するための技術を提供することである。
【課題を解決するための手段】
【０００４】
上記課題を解決するため第１の構成（請求項１）は、伸縮性を有する部材をリング状に形成してなる装飾用リストバンドであって、リング状の本体のうち、当該リストバンドを装着した状態で手のひら側に位置させる部位の少なくとも一部領域は、他の領域よりも断面積が小さくなるように形成され、当該リストバンドを装着した状態で手の甲側に位置させる部位は、リング外側およびリング挿通方向に向けて張り出した張出部と、該張出部に内蔵された状態でリング外側に発光面を向けた発光体と、を備え、前記張出部において前記発光体の発光面を覆う位置にある領域が、少なくとも前記発光面からの光を透過可能な程度の薄膜状に形成されていることにより、前記発光体が当該リストバンドの本体と一体化されている。
【０００５】
このように構成された装飾用リストバンドであれば、リング状に形成された部材において断面積の小さい領域が伸縮しやすく装着が容易になるだけでなく、張出部に内蔵された発光体からの光による装飾効果を付与することができる。ここで、光による装飾効果は、張出部における薄膜状の領域から発光体の光を透過させる構成で実現しており、リストバンドとしての表面形状をそのままに光による装飾効果を付与できることから、装着の容易性を妨げることなく高い装飾性を実現できる。
【０００６】
また、この構成は、以下に示す第２の構成（請求項２）のようにするとよい。
第２の構成において、前記発光体は、リングにおける円周方向に沿って複数個が配置されている。
【０００７】
このように構成された装飾用リストバンドであれば、リングにおける円周方向に沿って複数配置された発光体からの発光により、より一層高い装飾効果を付与することができる。
【０００８】
なお、この構成における発光体は、張出部に内蔵できるものであればよく、発光ダイオード（ＬＥＤ）やエレクトロルミネセンス（ＥＬ）などで形成すればよい。
【図面の簡単な説明】
【０００９】
【図１】装飾用リストバンドの斜視図
【図２】装飾用リストバンドの正面図（ａ）および背面図（ｂ）
【考案を実施するための形態】
【００１０】
以下に本考案の実施形態を図面と共に説明する。
（１）全体構成
装飾用リストバンド１は、図１,図２に示すように、伸縮性を有する部材（本実施形態ではシリコン樹脂からなる部材）をリング状に形成したものであり、このリング状に形成された本体のうち、当該リストバンド１を装着した状態で手のひら側に位置させる部位（図１（ａ）における右側、同図（ｂ）における左側）の少なくとも一部領域１０は、他の領域よりも断面積が小さくなるように形成されている。本実施形態では、部材の厚さおよびリング挿通方向（図１における上下方向）の幅を他の領域よりも小さくすることにより、断面積を他の領域よりも小さくしている。
【００１１】
また、本体のうち、装飾用リストバンド１を装着した状態で手の甲側に位置させる部位（図１（ａ）における左側、同図（ｂ）における右側）には、リング外側およびリング挿通方向に向けて張り出した張出部２０と、張出部２０に内蔵された状態でリング外側に発光面を向けた発光体３０と、を備えている。
【００１２】
この発光体３０は、発光ダイオード（ＬＥＤ）やエレクトロルミネセンス（ＥＬ）などで構成されたものであり、リングにおける円周方向に沿って複数個（本実施形態では２個）が並べて配置されている。
【００１３】
そして、張出部２０において発光体３０の発光面を覆う位置にある領域２１は、光が透過する程度まで薄膜状に形成され、これにより、発光体３０がリストバンド１の本体と一体化された状態で、発光体３０における発光面からの光が透過するように構成されている。
【００１４】
また、この張出部２０には、装飾用リストバンド１の振動を検知して発光体３０それぞれを発行させるべく信号を出力する制御部（図示されない）が上記発光体３０と共に内蔵されており、この制御部が、装飾用リストバンド１の振動に応じたパターンにて発光体３０それぞれを点滅させるように構成されている。
【００１５】
なお、これら制御部および発光体３０は、張出部２０の内周面に形成された収容口２３から収容されたうえで、図２（ｂ）に示すように、蓋部材２５により封止されている。
（２）作用，効果
このように構成された装飾用リストバンド１であれば、リング状に形成された部材において断面積の小さい領域が伸縮しやすく装着が容易になるだけでなく、張出部２０に内蔵された発光体３０からの光による装飾効果を付与することができる。ここで、光による装飾効果は、張出部２０における薄膜状の領域２１から発光体３０の光を透過させる構成で実現しており、リストバンドとしての表面形状をそのままに光による装飾効果を付与できることから、装着の容易性を妨げることなく高い装飾性を実現できる。
【００１６】
また、上記構成では、リングにおける円周方向に沿って複数配置された発光体３０からの発光により、より一層高い装飾効果を付与することができる。
【符号の説明】
【００１７】
１…装飾用リストバンド、１０…領域、２０…張出部、２１…領域、２３…収容口、２５…蓋部材、３０…発光体。
【図１】
0003193002.tif 000003
【図２】
0003193002.tif 000004